(57)【特許請求の範囲】
【請求項１】
ネットワーク対応型カムコーダにおいて、
カムコーダ本体と、
前記カムコーダ本体に着脱自在とされたネットワークアダプタとを備え、
前記カムコーダ本体は、
撮像部と、
前記撮像部で撮像した映像を記録再生する記録再生部と、
前記カムコーダ本体を操作するための第１の操作メニューを表す第１のオンスクリーン信号を発生する第１のオンスクリーン信号発生部と、
前記撮像部で撮像した映像または前記記録再生部で再生した映像を表示する表示部と、
前記第１のオンスクリーン信号を前記表示部に表示させるよう制御する表示制御部とを有し、
前記ネットワークアダプタは、
前記撮像部で撮像した映像または前記記録再生部で再生した映像をネットワーク上に送信するための送信部と、
前記ネットワークアダプタを操作するための第２の操作メニューを表す第２のオンスクリーン信号を発生する第２のオンスクリーン信号発生部と、
前記第２のオンスクリーン信号を前記カムコーダ本体へと供給する供給部とを有し、
前記カムコーダ本体に前記ネットワークアダプタを装着した状態で、前記表示制御部は、前記供給部から前記カムコーダ本体へと供給された前記第２のオンスクリーン信号を前記表示部に表示するよう制御することを特徴とするネットワーク対応型カムコーダ。
【請求項２】
前記表示制御部は、前記表示部に前記第１のオンスクリーン信号と前記第２のオンスクリーン信号とを併せて表示するよう制御することを特徴とする請求項１記載のネットワーク対応型カムコーダ。
【請求項３】
前記送信部はネットワークカードであり、前記ネットワークアダプタは、前記ネットワークカードを装着するスロットを有することを特徴とする請求項１または２に記載のネットワーク対応型カムコーダ。
【請求項４】
前記スロットは、前記撮像部で撮像した映像を記録するメモリカードを、前記ネットワークカードに置き換えて装着可能とされていることを特徴とする請求項３記載のネットワーク対応型カムコーダ。
【請求項５】
前記カムコーダ本体による映像の記録開始に伴って、その記録開始時の映像を静止画として前記メモリカードに記録するよう構成したことを特徴とする請求項４記載のネットワーク対応型カムコーダ。
【発明の詳細な説明】
【０００１】
【発明の属する技術分野】
本発明は、撮像装置（カメラ）と記録再生装置（ＶＴＲ）とを一体化したカムコーダに係り、特に、カムコーダにて記録した映像をテープカセットのような記録メディアに記録できるのは勿論のこと、取得した映像をネットワーク上に送信して特定または不特定の視聴者端末に提供することを可能としたネットワーク対応型カムコーダに関する。
【０００２】
【従来の技術】
近年、ＬＡＮやインターネット等のネットワークを用いた情報網が急速に普及し、映像や音声等のほとんどの情報がデジタル化されてきている。カムコーダ等の映像機器においては、記録メディアにデジタル映像を記録することにより、画質の劣化のない高品位な映像を貯蔵できる。一方、ＭＰＥＧのような圧縮技術を用いて情報を所定の形態に圧縮することにより、ネットワーク上では負荷を軽減して流し、遠隔地よりリアルタイムの映像を監視したり入手することが極めて簡単になってきている。このようなデジタル技術は、ウェブ上での教育（通信教育等）及びビジネス分野にも多く採用されている。
【０００３】
従来は、各々の機器がそれぞれ個別に対応して作用していたのに対して、近年では、複数個の電器機器を有機的に統合して、所定のフォーマットで形成された情報を各種のアプリケーション上でも共有することが可能となるばかりか、同一の情報を同じ伝送路上で同時に扱うことでシステム化を図るようになってきた。
【０００４】
デジタル化された情報を処理する機器は、単に機器を動作させるに必要な情報のやり取りだけを必要とするものから、音声情報、高品位な音楽情報、静止画情報やさらには動画像情報をリアルタイムに伝送する等、多種多様に渡っている。これらの情報を１つの伝送路上に流すには、必要とされる伝送レートを考慮したシステムが必要であり、また非常に高速の伝送が必要な種類の情報もあり、こうしたニーズに対してIEEE1394方式が規格化され実用化されている。このIEEE1394方式の伝送はアイソクロナス伝送（同期伝送）を可能にしており、文字情報や音声情報に比較して情報量の多いビデオ画像の伝送に好適である。
【０００５】
【発明が解決しようとする課題】
ところで、上述のように、従来のデジタルカムコーダは、画像や音声等の記録信号は高品位なものが得られ、記録メディアに記録した後も画質の劣化がなく取り扱いも極めて容易なものであった。しかしながら、撮影した映像をＶＴＲに記録しながら他の記録メディアに同時に記録し、または伝送したいという要求に対しては、これまでのカムコーダは対応していないばかりか、送信を実現しようとすると複雑な構成及び設備を余儀なくされていた。これに加えて、各種機能を備えた従来のカムコーダでは、操作モードが非常に煩雑となっている。
【０００６】
本発明はこのような問題点に鑑みなされたものであり、撮像装置で撮像した映像を記録メディアに記録することができ、撮像した映像または記録メディアより再生した映像をネットワーク上に送信することができるネットワーク対応型カムコーダを提供することを目的とする。また、操作性に優れたネットワーク対応型カムコーダを提供することを目的とする。
【０００７】
【課題を解決するための手段】
本発明は、上述した従来の技術の課題を解決するため、ネットワーク対応型カムコーダにおいて、カムコーダ本体と、前記カムコーダ本体に着脱自在とされたネットワークアダプタとを備え、前記カムコーダ本体は、撮像部と、前記撮像部で撮像した映像を記録再生する記録再生部と、前記カムコーダ本体を操作するための第１の操作メニューを表す第１のオンスクリーン信号を発生する第１のオンスクリーン信号発生部と、前記撮像部で撮像した映像または前記記録再生部で再生した映像を表示する表示部と、前記第１のオンスクリーン信号を前記表示部に表示させるよう制御する表示制御部とを有し、前記ネットワークアダプタは、前記撮像部で撮像した映像または前記記録再生部で再生した映像をネットワーク上に送信するための送信部と、前記ネットワークアダプタを操作するための第２の操作メニューを表す第２のオンスクリーン信号を発生する第２のオンスクリーン信号発生部と、前記第２のオンスクリーン信号を前記カムコーダ本体へと供給する供給部とを有し、前記カムコーダ本体に前記ネットワークアダプタを装着した状態で、前記表示制御部は、前記供給部から前記カムコーダ本体へと供給された前記第２のオンスクリーン信号を前記表示部に表示するよう制御することを特徴とするネットワーク対応型カムコーダを提供するものである。
【０００８】
【発明の実施の形態】
以下、本発明のネットワーク対応型カムコーダについて、添付図面を参照して説明する。図１は本発明のネットワーク対応型カムコーダの一実施形態を示すブロック図、図２は本発明のネットワーク対応型カムコーダで用いるネットワークアダプタの一実施形態を示すブロック図、図３は本発明のネットワーク対応型カムコーダによるネットワーク送信を説明するためのブロック図、図４は本発明のネットワーク対応型カムコーダの一実施形態を示す外観斜視図、図５は本発明のネットワーク対応型カムコーダの操作メニュー画面の一例を示す図、図６は本発明のネットワーク対応型カムコーダの動作を説明するための図である。
【０００９】
図１に示すように、本発明のネットワーク対応型カムコーダは、カムコーダ本体３０と、このカムコーダ本体３０に着脱自在のネットワークアダプタ５０とよりなる。まず、カムコーダ本体３０の構成について説明する。図１において、ＭＰＵ（マイクロプロセシング・ユニット）１０は、カムコーダ本体３０及びネットワークアダプタ５０の全体を制御する。
【００１０】
撮像光学系１及び撮像素子（ＣＣＤ）２からなる撮像部３から出力された映像信号は、ＤＳＰ（デジタル・シグナル・プロセッサ）４にて、デジタル信号に変換されると共に、３原色信号からＹ，Ｕ，Ｖ信号への変換処理等の各種のデジタル信号処理が施されて、システムバスＳＢ１に送出される。マイクロフォン５にて集音した外部の音声信号は、Ａ／Ｄ変換器６にてデジタル信号に変換され、システムバスＳＢ１に送出される。
【００１１】
そして、映像信号と音声信号は両者の同期がとられ、ＤＭＡ（ダイレクト・メモリ・アクセス）７を介してＤＲＡＭ８に一時的に記憶された後、ＤＭＡ７にてＤＲＡＭ８より読み出される。ＤＲＡＭ８より読み出された映像信号と音声信号は、システムバスＳＢ１を介してＤＶＣエンコーダ１２に入力され、ＤＶフォーマットに圧縮（１／５）される。ＤＶフォーマットに圧縮された信号は、ＤＶＣレコーダ１３のテープカセット（図示せず）に記録される。なお、マイクロフォン５から入力される音声信号をＤＳＰ４に入力して、ＤＳＰ４にて映像信号と音声信号とを同期させて、システムバスＳＢ１に送出するようにしてもよい。
【００１２】
本実施形態では、記録再生装置の一例として、ＤＶフォーマットの信号を記録再生するＤＶＣレコーダ１３を用いているが、これに限定されるものではなく、テープカセットではなく、ディスクを用いた記録再生装置であってもよい。
【００１３】
ＤＶＣレコーダ１３のテープカセットに記録された映像信号と音声信号は、ＤＶＣデコーダ１４にて復調され、システムバスＳＢ１を介してＤＢＥ（デジタル・バックエンド・プロセッサ）１６に入力される。ＤＢＥ１６は、入力された映像信号と音声信号をＤ／Ａ変換してアナログ信号とし、内蔵のマルチプレクサのスイッチゲートを介して、ビューフアインダ１７とＬＣＤモニタ１８の一方または双方に出力する。
【００１４】
また、このＤＢＥ１６内のスイッチゲートは、後述するネットワークアダプタ５０内の記録メディアである記憶素子ＣＦ（一例として、コンパクトフラッシュ：登録商標）に記憶された映像を読み出したとき、その読み出した映像をアナログ信号に変換して、ビューフアインダ１７やＬＣＤモニタ１８に出力することができる。出力端子１９は、ＤＢＥ１６より出力されたアナログ信号を外部に出力するためのものである。なお、当然のことながら、撮像部３にて撮像された映像をＤＳＰ４及びシステムバスＳＢ１を介して直接ＤＢＥ１６に伝送することによって、撮影時の信号をモニタすることもできる。
【００１５】
さらに、フラッシュＲＯＭ１１は、装置の電源投入時に、システムをイニシャライズしたり、システムのバージョンを管理する。フラッシュＲＯＭ１１は、また、後述する操作メニューを表示するためのオンスクリーン信号を発生する。
【００１６】
そして、本実施形態では、カムコーダ本体３０にて得た映像信号，音声信号を、ネットワークアダプタ５０を介して中継装置（送信端末）２０より、ＬＡＮやイーサネットまたはインターネット等のネットトワーク２１上に送信することができる。カムコーダ本体３０の側面には、一例としてIEEE1394のインタフェース（Ｉ／Ｆ）１５が設けられており、このＩ／Ｆ１５はパソコンのような編集機と接続して映像信号，音声信号を編集することができる。即ち、Ｉ／Ｆ１５は、ＤＶＣエンコーダ１２からの送出された信号を外部へ取り出す一方、外部からの信号を取込むことができる。
【００１７】
また、カムコーダ本体３０の操作パネル９のキー操作により、後述するような記録，再生，転送等の各種の操作モードを実行することができる。
【００１８】
ここで、図２及び図４を用いて、カムコーダ本体３０に接続されるネットワークアダプタ５０の具体的構成及び動作について説明する。まず、図４において、（Ａ）はカムコーダ本体３０とネットワークアダプタ５０とを分離した状態、（Ｂ）はカムコーダ本体３０とネットワークアダプタ５０とを一体化した状態を示している。ネットワークアダプタ５０の爪５０１，５０２をカムコーダ本体３０の溝３０１，３０２に係合させることにより、ネットワークアダプタ５０はカムコーダ本体３０の底面部に装着（ロック）される。
【００１９】
この状態で、ネットワークアダプタ５０に設けた突状の電気的端子５０３がカムコーダ本体３０の溝状の電気的端子３０３に嵌合する。これによって、ネットワークアダプタ５０はカムコーダ本体３０に機械的及び電気的に接続され、ネットワークアダプタ５０を使用に供することができる。ネットワークアダプタ５０のリリースボタン５０４を操作することによって、カムコーダ本体３０とネットワークアダプタ５０との結合を解除することができる。
【００２０】
図２に示すように、ネットワークアダプタ５０は、記憶素子ＣＦであるメモリカード５７と、送信端末２０を介してネットワーク２１に接続するためのネットワークカード（ＬＡＮカード）５８を挿脱自在なスロット５０ｓを有している。スロット５０ｓは、メモリカード５７とネットワークカード５８の双方を挿入することができる２スロットであってもよく、メモリカード５７とネットワークカード５８のいずれか一方のみ挿入することができる１スロットであってもよい。
【００２１】
本実施形態では、メモリカード５７とネットワークカード５８をスロット５０ｓに選択的に挿入する構成について説明する。使用目的に合わせて適宜にスロット５０ｓにメモリカード５７とネットワークカード５８のいずれかを装着することによって、ネットワークアダプタ５０やカムコーダ本体３０の利用範囲が拡大する。
【００２２】
ネットワークアダプタ５０には、カムコーダ本体３０との接続によってカムコーダ本体３０から電源が供給される。そして、カムコーダ本体３０にネットワークアダプタ５０を装着すると、相互情報を通信するラインと、映像信号及び音声信号を送信するラインと、メモリカード５７（記憶素子ＣＦ）に映像を記録したり、記録された映像を再生してカムコーダ本体３０に送出するライン、または、ネットワーク２１上に映像信号及び音声信号を送信するライン等の各種の情報ラインが接続される。
【００２３】
メモリカード５７とネットワークカード５８とは、スロット５０ｓに対する情報ライン（接続端子）の位置が少なくとも一部で異なっているので、ネットワークアダプタ５０は、メモリカード５７とネットワークカード５８のいずれがスロット５０ｓに装着されたかを識別することができる。スロット５０ｓにネットワークカード５８が装着された場合には、ネットワークアダプタ５０が装着されたカムコーダ本体３０は、ネットワーク対応型カムコーダとして機能することとなる。
【００２４】
図２において、ＣＰＵ５１は、ネットワークアダプタ５０全体のシステムを制御したり、ネットワークカード５８にＴＣＰ／ＩＰプロトコルを付与して映像信号や音声信号を送信するものである。フラッシュＲＯＭ５９は、システムをイニシャライズしたり、システムプロクラムを書き換える。フラッシュＲＯＭ５９は、また、後述する操作メニューを表示するためのオンスクリーン信号を発生する。本実施形態においては、カムコーダ本体３０がオンスクリーン信号発生部であるフラッシュＲＯＭ１１を有すると共に、ネットワークアダプタ５０もオンスクリーン信号発生部であるフラッシュＲＯＭ５９を有している。
【００２５】
赤外線受光素子（ＩｒＤＡ）６０は、リモコン送信機（図示せず）からのリモコン信号を受光し、リモコン送信機によってカムコーダ本体３０やネットワークアダプタ５０を制御することができる。
【００２６】
カムコーダ本体３０から同期がとられてネットワークアダプタ５０に供給された映像信号は、ビデオエンコーダ５３が適切に圧縮処理できるよう、ＰＬＤ（プログラム・ロジック・デバイス）５２にて適切なデータ配列に変換される。ビデオエンコーダ５３で圧縮された映像信号は再度ＰＬＤ５２に送られる。このＰＬＤ５２から出力された映像信号は、ＳＤＲＡＭ５４にキャッシュされた後、システムバスＳＢ２に供給される。一方、カムコーダ本体３０より入力された音声信号は、同様にして、ＰＬＤ５２を介してＤＳＰ５６にて受信できるようフォーマット変換された後、システムバスＳＢ２に供給される。
【００２７】
そして、映像信号と音声信号は互いに同期がとられてＳＤＲＡＭ５５に一時的に記憶され、ＤＳＰ５６にて所定の形態（ＭＰＥＧ４）に圧縮された後、パケット化されてＣＰＵ５１に供給される。スロット５０ｓにメモリカード５７が装着されている場合、ＣＰＵ５１に供給されたパケット化された信号は、メモリカード５７に記憶される。
【００２８】
また、メモリカード５７に記憶された映像信号や音声信号は、ＣＰＵ５１によって読み出され、ＤＳＰ５６にてデコードされることによって再生される。そして、このデコードされた信号は、システムバスＳＢ２を経て、ＰＬＤ５２及びビデオエンコーダ５３を介してカムコーダ本体３０のシステムバスＳＢ１に供給される。システムバスＳＢ１に供給された映像信号は、上記と同様、ＤＢＥ１３にてアナログ信号に変換され、内部のスイッチゲートを介してビューフアインダ１７またはＬＣＤモニタ１８に適宜に出力することができる。
【００２９】
前述のように、スロット５０ｓにネットワークカード５８を装着することによって、カムコーダ本体３０にて取得した情報（撮像部３からの映像やＤＶＣレコーダ１３からの再生信号等）をネットワーク２１に接続された適宜の受信端末（視聴者端末）に送信することが可能となる。図３は、ネットワーク送信を概略的に示している。図３において、ネットワーク２１には配信サーバ７０が接続されており、カムコーダ本体３０にて取得した情報を、ネットワークカード５８及び外部の送信端末２０を介して、ネットワーク２１に接続された視聴者端末６１，６２に送信することができる。これによって、視聴者端末６１，６２にて、配信サーバ７０にて管理運営された映像及び音声を視聴することができる。
【００３０】
さらに、本発明のネットワーク対応型カムコーダにおいては、プロバイダがネットワーク２１に接続された端末に対して動的ＩＰアドレスを付与し、配信サーバ７０が視聴者端末に対しての配信予約を受け付けて映像信号や音声信号を提供することもできる。
【００３１】
ここで、カムコーダ本体３０にネットワークアダプタ５０を装着した場合の操作メニューについて詳細に説明する。図４にて説明したように、ネットワークアダプタ５０がカムコーダ本体３０の底部に機械的に接続されると、カムコーダ本体３０の電源よりネットワークアダプタ５０に給電され、ネットワークアダプタ５０はイニシャル状態となる。
【００３２】
図５は、カムコーダ本体３０のビューフアインダ１７またはＬＣＤモニタ１８に表示されるメニュー画面の一例を示している。図５において、（Ａ）はカメラ設定時のメニューであり、このメニューは、フラッシュＲＯＭ１１からのオンスクリーン信号によって表示される。ネットワークアダプタ５０をカムコーダ本体３０に装着しているので、図５（Ａ）のメニューには、通常のカムコーダ本体３０を操作する際のメニューにはないモードNETWORK PACK CONFIGが追加されている。
【００３３】
また、図５において、（Ｂ）はＶＴＲ設定時のメニューであり、通常のカムコーダ本体３０を操作する際のメニューの他、NETWORK PACK CONFIGとMOVIE  CLIPがそれぞれ追加されている。本実施形態では、ネットワークアダプタ５０の操作に関するメニューは、ネットワークアダプタ５０のフラッシュＲＯＭ５９からのオンスクリーン信号によって表示される。従って、本実施形態では、ネットワークアダプタ５０を装着していないときに、ネットワークアダプタ５０の操作に関するメニューが表示されないので、操作メニューが複雑化することなく、また、誤ったメニューを選択することもなくなる。よって、非常に使い勝手がよい。
【００３４】
図５（Ａ），（Ｂ）いずれの場合でも、モードNETWORK PACK CONFIGで操作パネル９のキー（図示せず）を押下すると、図５（Ｃ）に示すメニュー画面に移る。図５（Ｃ）では、NETWORK SET，ENCORD SET，MPEG REC SPEED TRG，MOVIE CLIP SETのネットワークアダプタ５０の各メニューが表示される。このメニューの主要モードを以下に示す。
【００３５】
▲１▼ NETWORK SETモード：図５（Ｇ）に示すように、ＤＨＣＰ（ダイナミック・ホスト・コンフィグレーション・プロトコル），サブネットマスク等のネットワーク関連の設定をするためのメニュー画面である。例えば、ホスト名，ドメイン名，ＤＨＣＰ，ＩＰアドレス，ネットマスク，ゲートウエイ，ＷＬＡＮ（無線ＬＡＮ），パスワード等を設定することができる。
▲２▼ ENCORD SETモード：図５（Ｆ）に示すように、ピクセルサイズ，画像のストリーミング速度（３２，６４，１２８，３８４［kbps］），音声のストリーミング速度（１６〜４０［kbps］）、１秒当たりに伝送するフレーム数等を設定することができる。
▲３▼ MOVIE CLIP SETモード：図５（Ｅ）に示すように、メモリカード５７に関する設定メニューであり、フアイル管理，フォーマット等のモードを設定することができる。
【００３６】
ここで、ネットワークアダプタ５０のスロット５０ｓにメモリカード５７が装着され、メニューMOVIE CLIPを操作した場合の態様について説明する。図５（Ｂ）のメニューMOVIE CLIPで操作パネル９のキーを押下すると、図５（Ｄ）に示すメニュー画面に移る。ＤＶＣレコーダ１３にテープカセット１３ｃを装填した状態で、カムコーダ本体３０を記録モードにし、操作パネル９のスタート／ストップキー（図示せず）を押下することによって、テープカセット１３ｃ及びメモリカード５７に映像信号が動画として記録されると共に、記録開始時の映像が静止画（クリップ静止画）として記録される。
【００３７】
テープカセット１３ｃには、ＤＶフォーマットにて映像信号が記録され、メモリカード５７にはＭＰＥＧ４フォーマットにて映像信号が記録される。そして、スタート／ストップキーの操作により映像信号の記録開始の動作が繰り返される毎に、メモリカード５７には、図５（Ｄ）及び図６（Ａ）に示すようにクリップリストが登録される。
【００３８】
図６で説明すると、スタート／ストップキーが押されて、記録が開始される毎に、複数個のクリップリスト（ＭＣ0005，ＭＣ0006，…，ＭＣ0008）のように、クリップ番号と対応させて日付と時刻が記録される。そして、この一のクリップをカーソル等により選択すると、クリップ静止画が図６（Ｂ）に示す如く表示される。従って、このクリップ静止画を参照することにより何時頃どのようなシーンが記録されているのか撮影情景の想定が容易となる。
【００３９】
このように記録された各シーンを含む映像が記録されたメモリカード５７をパソコン等に装填することにより、サムネイル画像として各時間毎のシーンを同時に認識でき、編集も可能となる。勿論、カムコーダ本体３０のビューフアインダ１７またはＬＣＤモニタ１８にて静止画を確認してメモリカード５７に記録された動画像を再生することもできる。
【００４０】
メモリカード５７内の一のシーン選択と同期してテープカセット１３ｃの再生を指示することにより、その選択したシーンに対応した一の映像の頭出し再生を即座に行うことができる。メモリカード５７に記録された映像はＭＰＥＧ４により圧縮されているため圧縮率が大であり、テープカセット１３ｃに記録されたＤＶフォーマットに基づく映像に比較すると品位が低い。そこで、メモリカード５７からの映像からテープカセット１３ｃに記録された映像へと再生を切り換えることにより、高品位な映像を即座に再生することができる。この機能は、編集時にも有効である。
【００４１】
なお、各MOVIE CLIP毎にマーキングしてプロテクト指示することができることは勿論であり、一のクリップを削除することも当然可能である。また、クリップを削除したときは必要に応じてテープカセット１３ｃへの編集情報として送信することも可能である。
【００４２】
次に、ネットワークアダプタ５０のスロット５０ｓにネットワークカード５８が装着された場合の態様について説明する。ネットワークカード５８が装着された状態で、上記のメニューNETWORK PACK CONFIGの中のメニューENCORD SETによってＭＰＥＧを所定の状態に設定することにより、撮像部３の映像をテープカセット１３ｃに記録しながら、ＭＰＥＧ４フォーマットに圧縮された映像信号をネットワーク２１に送信することができる。撮像部３の映像をテープカセット１３ｃに記録することなく、ネットワーク２１に送信することも可能である。
【００４３】
テープカセット１３ｃに記録されたＤＶフォーマットの映像の送信について説明する。ＤＶＣレコーダ１３に記録された映像信号と音声信号はＤＶＣデコーダ１４にて復調され、その出力はネットワークアダプタ５０のＰＬＤ５１に入力される。これによって、撮像部３からの映像と同様に、ネットワーク２１に送信することができる。
【００４４】
【発明の効果】
以上詳細に説明したように、本発明のネットワーク対応型カムコーダは、撮像部と、この撮像部で撮像された映像を記録再生する記録再生部とを有するカムコーダ本体と、このカムコーダ本体に着脱自在とされ、撮像部で撮像した映像または記録再生部で再生した映像をネットワーク上に送信するネットワークアダプタとを備えて構成したので、撮像した映像をカムコーダ本体のテープカセットに記録できることは勿論のこと、映像をネットワーク上に送信することができる。ネットワークアダプタはカムコーダ本体に着脱自在であるので、ネットワーク送信が必要なときのみ装着すればよく、極めて使い勝手がよい。
【００４５】
また、ネットワークアダプタにネットワークカードとメモリカードとを択一的に装着するスロットを設けることにより、ネットワークアダプタを使用状況に応じて使い分けることができ、ネットワーク対応型カムコーダの利用範囲が拡大する。さらに、ネットワークアダプタを操作するための操作メニューを、ネットワークアダプタがカムコーダ本体に装着されたときに表示可能と構成することにより、操作メニューが複雑化することなく、使い勝手を向上させることができる。メモリカードにカムコーダ本体による映像の記録開始時の静止画を記録するよう構成することにより、映像の選択や編集が容易となる。
【図面の簡単な説明】
【図１】本発明の一実施形態を示すブロック図である。
【図２】本発明で用いるネットワークアダプタの一実施形態を示すブロック図である。
【図３】本発明によるネットワーク送信を説明するためのブロック図である。
【図４】本発明の一実施形態を示す外観斜視図である。
【図５】本発明の操作メニュー画面の一例を示す図である。
【図６】本発明の動作を説明するための図である。
【符号の説明】
３  撮像部
１１，５９  フラッシュＲＯＭ
１２  ＤＶＣエンコーダ
１３  ＤＶＣレコーダ（記録再生部）
１４  ＤＶＣデコーダ
２１  ネットワーク
３０  カムコーダ本体
５０  ネットワークアダプタ
５０ｓ  スロット
５７  メモリカード
５８  ネットワークカード
【図１】
0004446646.tif 000002
【図２】
0004446646.tif 000003
【図３】
0004446646.tif 000004
【図４】
0004446646.tif 000005
【図５】
0004446646.tif 000006
【図６】
0004446646.tif 000007